(57)【要約】  【課題】  装置の大型化及びコストアップをすることなく、非点収差の補正を行うことができる光ピックアップ装置を提供する。  【解決手段】  光ピックアップ装置１においては、レーザ光源２から出射されたレーザビームはハーフミラー３を透過し、コリメートレンズ４を経て対物レンズ５により光記録媒体の記録面上に像を結ぶ。また、記録面で反射された反射光は、対物レンズ５、コリメートレンズ４を経て、ハーフミラー３で反射されて受光部７で像を結ぶ。この光学系に用いられるハーフミラー３は、電極に印加する電圧を調整することで屈折率を変化する液晶の層を有しており、屈折率を調整することでハーフミラー３を透過するレーザビームの位相を調整できるため、光記録媒体６上に発生する非点収差の補正を行うことが可能となる。  【選択図】      図１
2006331531.tif 000002
【特許請求の範囲】
【請求項１】
光源と、該光源から出射される光束を集光して光記録媒体の記録面に導く集束手段と、
前記光源と前記集束手段との間の光路中に配置されるハーフミラーと、前記記録面で反射
される戻り光束が入射される受光部と、を備える光ピックアップ装置において、
前記ハーフミラーは、電圧を印加するための電極と、該電極からの電界に応じて透過光の
屈折率を変化させる液晶素子の層とを有し、前記光源から出射される光束の一部を透過し
て前記記録面の方向に導き、前記記録面で反射される戻り光束の一部を反射して前記受光
部の方向に導くように配置され、
前記受光部に入射した光から検出される検出信号に基づいて、前記液晶素子の層の屈折率
を前記電極の電圧の調整により変化させる屈折率制御手段を備えることを特徴とする光ピ
ックアップ装置。
【請求項２】
光源と、該光源から出射される光束を集光して光記録媒体の記録面に導く集束手段と、
前記光源と前記集束手段との間の光路中に配置されるハーフミラーと、前記記録面で反射
される戻り光束が入射される受光部と、を備える光ピックアップ装置において、
前記ハーフミラーは、電圧を印加するための電極と、該電極からの電界に応じて透過光の
屈折率を変化させる屈折率変化層とを有し、前記光源から出射される光束の一部を透過し
て前記記録面の方向に導き、前記記録面で反射される戻り光束の一部を反射して前記受光
部の方向に導くように配置されていることを特徴とする光ピックアップ装置。
【請求項３】
前記屈折率変化層は、液晶素子で形成されることを特徴とする請求項２に記載の光ピッ
クアップ装置。
【請求項４】
前記受光部に入射した光から検出される検出信号に基づいて、前記屈折率変化層の屈折
率を前記電極の電圧の調整により変化させる屈折率制御手段を備えることを特徴とする請
求項２又は請求項３に記載の光ピックアップ装置。
【発明の詳細な説明】
【技術分野】
【０００１】
本発明は、ＤＶＤやＣＤ−ＲＯＭ等の光記録媒体から情報を読取ったり、光記録媒体に
情報を記録したりする際に用いられる光ピックアップ装置に関し、より詳細には非点収差
の補正ができる光ピックアップ装置に関する。
【背景技術】
【０００２】
現在では、ＣＤ（コンパクトディスク）やＤＶＤ（デジタル多用途ディスク）等の光記
録媒体にアクセスするためのドライブ装置として、光ディスク装置が普及している。この
光ディスク装置では、光記録媒体の記録面にレーザ光を照射して情報の記録又は消去を行
い、記録面からの反射光に基づいて情報の再生などを行っている。そして、このような機
能を有する光ディスク装置には、光記録媒体の記録面にレーザ光を照射して光スポットを
形成するとともに、記録面からの反射光を受光するための装置として光ピックアップ装置
が備えられている。
【０００３】
図５は、従来の光ピックアップ装置１０１の一例を示している。この光ピックアップ装
置１０１においては、半導体レーザ１０２から出射されたレーザビームは、ハーフミラー
１０３で反射され、コリメートレンズ１０４で平行光にされた後に対物レンズ１０５によ
り光記録媒体１０６の記録面に焦点を結ぶ。また、光記録媒体１０６の記録面から反射し
たレーザビームの反射光は、再び対物レンズ１０５、コリメートレンズ１０４を通過し、
更にハーフミラー１０３を透過して受光素子１０７上に像を結ぶ。受光素子１０７からは
、記録面に記録されているデータの再生情報だけでなく、光ピックアップ装置１０１自体
及び対物レンズ１０５の位置制御に必要な情報（サーボ情報）などを含む信号が出力され
る。
【０００４】
受光素子１０７からの出力信号に基づいて、再生情報及びサーボ情報などを精度良く検
出するためには、所定の形状の光スポットが記録面に精度良く形成されることが必要とな
る。また、記録面に情報を記録する場合も、良好な記録品質を得るためには、所定の形状
の光スポットが記録面に精度良く形成されることが必要となる。
【０００５】
この点、従来は、光記録媒体１０６上の光スポットの品質を調整する場合、品質の良い
光学部品を使用するか、光学部品の組み付け精度を厳密にする等の手段により、光スポッ
トの品質の調整、すなわち、波面収差発生の抑制を行っていた。しかし、光学部品の加工
精度や組み付け精度を厳密にしようとすると、製造段階での加工、調整に手間がかかり、
装置コストの高騰を招くという問題があり、また、装置の組み立て後には、波面収差を抑
制するための調整が難しいという問題があった。
【０００６】
このため、特許文献１では、ハーフミラー面が形成されたプリズムと対物レンズとの間
の光路中に光学部材として液晶素子を配置し、液晶素子に加える電圧を調整して液晶素子
の屈折率を調整することで、記録媒体上での波面収差の発生を抑制する光情報記録再生装
置が提案されている。これによれば、光情報記録再生装置を組み立てた後に、波面収差の
抑制が行えるために、光学部品の加工精度や組み付け精度を従来に比べて緩和することが
可能となり、装置製造のコストダウンを図ることが可能となる。
【０００７】
また、特許文献２においても、光源と対物レンズの間に、電圧を印加するための透明電
極を有し、透明電極への印過電圧に応じて透過光束に対する屈折率が変化する液晶パネル
を配置して、装置の組み立て後に、各光学部品の加工精度、組み立て精度、光軸のずれ及
び傾きなどに起因して発生する非点収差の影響を補正できる光ピックアップ装置が提案さ
れている。
【０００８】
更に、特許文献３においては、電極を介して印加される電圧に応じた屈折率分布を有し
、記録面に集光される光束の波面収差における非点収差成分を補正する縦型の電気光学効
果を示す電気光学結晶（例えば、シレナイト構造を有し、ポッケルス効果を示すＢｉ12Ｓ
ｉＯ20）を光源と対物レンズの間に配置し、各光学部品を組み付けた後に、非点収差の補
正ができる光ピックアップ装置が提案されている。そして、この光ピックアップ装置によ
れば、各光学部品の組み付け作業等が容易になるために、装置製造のコストの削減が図れ
るばかりでなく、縦型の電気光学効果を示す電気光学結晶を用いているために、電気光学
素子を光軸方向に薄くでき、光ピックアップ装置を小型化が図れるとされている。
【０００９】
しかしながら、特許文献１から３に示される光ピックアップ装置又は光情報記録再生装
置においては、液晶素子又は電気光学結晶といった光学部品を光源と対物レンズとの間に
配置するにあたって、従来の光学系に新たに光学部品を設ける必要があるために、光ピッ
クアップ装置または光情報記録再生装置の大型化につながるという欠点があった。この点
、特許文献３の光ピックアップ装置においては、上述のように新たに導入する光学部品の
厚みを薄くできるためにし、特許文献１や２の光ピックアップ装置に比べて光ピックアッ
プ装置の小型化を図ることは可能であるものの、新たに光学部品を光路中に導入する必要
がある点では変わりなく、装置の大型化の問題が生じていた。
【００１０】
また、特許文献２の場合は、液晶パネル以外の光学部品を組み付けた状態で、予め光学
系に起因する非点収差を測定し、その結果に基づいて液晶パネルの配置方向及び透明電極
への印過電圧の大きさを決定している。このために、例えば、温度変化や経時変化などに
より各光学部品を固定している接着剤等の物性が変化し、光学系に起因する非点収差が変
化した場合には、非点収差の補正が困難であるという問題があった。更に、波面収差に含
まれる非点収差成分は、光学系に起因する非点収差だけでなく、光記録媒体の基板の複屈
折性に起因する非点収差も含まれるため、特許文献２の光ピックアップ装置では、その点
が考慮されていないという問題があった。
【特許文献１】特開平８−２１２６１１号公報
【特許文献２】特開平１１−２５９８９２号公報
【特許文献３】特開２００４−３９０１８号公報
【発明の開示】
【発明が解決しようとする課題】
【００１１】
以上の問題点に鑑み、本発明の目的は、光ピックアップ装置の大型化及び装置組み立て
時のコストアップをすることなく、非点収差の補正を行うことができる光ピックアップ装
置を提供することである。また、本発の他の目的は、前述の光ピックアップ装置において
、装置の組み立て後に発生する非点収差の補正が行える光ピックアップ装置を提供するこ
とである。
【課題を解決するための手段】
【００１２】
上記目的を達成するために本発明は、光源と、該光源から出射される光束を集光して光
記録媒体の記録面に導く集束手段と、前記光源と前記集束手段との間の光路中に配置され
るハーフミラーと、前記記録面で反射される戻り光束が入射される受光部と、を備える光
ピックアップ装置において、前記ハーフミラーは、電圧を印加するための電極と、該電極
からの電界に応じて透過光の屈折率を変化させる液晶素子の層とを有し、前記光源から出
射される光束の一部を透過して前記記録面の方向に導き、前記記録面で反射される戻り光
束の一部を反射して前記受光部の方向に導くように配置され、前記受光部に入射した光か
ら検出される検出信号に基づいて、前記液晶素子の層の屈折率を前記電極の電圧の調整に
より変化させる屈折率制御手段を備えることを特徴としている。
【００１３】
また、上記目的を達成するために本発明は、光源と、該光源から出射される光束を集光
して光記録媒体の記録面に導く集束手段と、前記光源と前記集束手段との間の光路中に配
置されるハーフミラーと、前記記録面で反射される戻り光束が入射される受光部と、を備
える光ピックアップ装置において、前記ハーフミラーは、電圧を印加するための電極と、
該電極からの電界に応じて透過光の屈折率を変化させる屈折率変化層とを有し、前記光源
から出射される光束の一部を透過して前記記録面の方向に導き、前記記録面で反射される
戻り光束の一部を反射して前記受光部の方向に導くように配置されていることを特徴とし
ている。
【００１４】
また、本発明は、上記構成の光ピックアップ装置において、前記屈折率変化層は、液晶
素子で形成されることを特徴としている。
【００１５】
また、本発明は、上記構成の光ピックアップ装置において、前記受光部に入射した光か
ら検出される検出信号に基づいて、前記屈折率変化層の屈折率を前記電極の電圧の調整に
より変化させる屈折率制御手段を備えることを特徴としている。
【発明の効果】
【００１６】
本発明の第１の構成によれば、光源と対物レンズの間の光路中に、印加電圧を変化させ
ることで屈折率が変化する液晶素子を配置しているために、装置の組み立て後に非点収差
の補正ができる。このため、各光学部品について、必ずしも高品質の光学部品を用いる必
要がなく、安価な汎用部品を用いることが可能となり、部品コストの削減が図れる。また
、ハーフミラーに液晶素子の層を設ける構成としているために、非点収差の補正にあたっ
て、光路中に新たに光学素子を追加する必要が無く、装置を大型化することがない。また
、受光部で検出した検出信号に基づいて、印加電圧を制御により液晶素子の屈折率の調整
を行うことが可能な構成であるため、温度変化や経時変化等により各光学部品を固定して
いる接着剤等の物性変化により非点収差が変化しても、その都度容易に非点収差の補正を
行うことができ、更に、光記録媒体の基板の複屈折性に起因する非点収差も精度良く補正
することが可能となる。
【００１７】
また、本発明の第２の構成によれば、光源と対物レンズの間の光路中に、印加電圧を変
化させることで屈折率が変化する屈折率変化層を配置しているために、装置の組み立て後
に非点収差の補正ができる。このため、各光学部品について、必ずしも高品質の光学部品
を用いる必要がなく、安価な汎用部品を用いることが可能となり、部品コストの削減が図
れる。また、ハーフミラーに液晶素子の層を設ける構成としているために、非点収差の補
正にあたって、光路中に新たに光学素子を追加する必要が無く、装置を大型化することが
ない。
【００１８】
また、本発明の第３の構成によれば、上記第２の構成の光ピックアップ装置において、
屈折率変化層に液晶素子を用いているために、光を透過することができ、且つ、電圧によ
り屈折率が変化する物質を容易に入手できる。
【００１９】
また、本発明の第４の構成によれば、上記第２又は第３の構成の光ピックアップ装置に
おいて、受光部で検出した検出信号に基づいて、印加電圧を制御により液晶素子の屈折率
の調整を行うことが可能な構成であるため、温度変化や経時変化等により各光学部品を固
定している接着剤等の物性変化により非点収差が変化しても、その都度容易に非点収差の
補正を行うことができ、更に、光記録媒体の基板の複屈折性に起因する非点収差も精度良
く補正することが可能となる。
【発明を実施するための最良の形態】
【００２０】
以下、本発明の実施形態を、図面を参照しながら説明する。図１は、ＣＤやＤＶＤ等の
光記録媒体に対して、情報の記録及び再生を行える、本発明の第１実施形態にかかる光ピ
ックアップ装置１の概略断面図である。なお、ここで説明する構成は、実施形態の一例を
示すものであり、この実施形態に限定されるものではない。
【００２１】
図１において、光ピックアップ装置１は、ＣＤやＤＶＤなどの光記録媒体６上にレーザ
ビームを照射し反射光を受光することにより、光記録媒体６の信号記録面に記載された情
報を読取る装置である。光ピックアップ装置１は、例えば、レーザ光源２と、ハーフミラ
ー３と、コリメートレンズ４と、対物レンズ５と、受光部７と、屈折率制御回路８とを備
えている。
【００２２】
レーザ光源２は、所定の波長のレーザビームを出射する半導体レーザダイオードである
。例えば、ＣＤ用には７８５ｎｍの波長が、ＤＶＤ用には６５０ｎｍの波長のレーザビー
ムを出射できる半導体レーザダイオードが使用される。なお、本実施形態では１つのレー
ザ光源２から出射されるレーザビームの波長は１種類であるが、複数の波長のレーザビー
ムを出射できるレーザ光源を用いても構わない。レーザ光源２を出射されたレーザビーム
は、ハーフミラー３に送られる。
【００２３】
ハーフミラー３は、レーザ光源２から出射されたレーザビームを透過するとともに、光
記録媒体６で反射されたレーザビームをさらに反射して、受光部７にレーザビームを導く
素子である。また、本実施形態においては、ハーフミラー３は、例えば、液晶素子層等の
屈折率変化層を有しており、ハーフミラー３を透過したレーザビームに位相差を与えるこ
とができる。ハーフミラーの詳細な構成等については後述する。ハーフミラー３を透過し
たレーザビームは、コリメートレンズ４に送られる。
【００２４】
コリメートレンズ４は、ハーフミラー３を透過してきたレーザビームを平行光に変換す
るレンズである。ここで、平行光とは、ハーフミラー３を透過したレーザビームの全ての
光路が光軸とほぼ平行である光をいう。コリメートレンズ４を透過した平行光は、対物レ
ンズ５に送られる。
【００２５】
対物レンズ５は、コリメートレンズ４から送られてきた平行光を光記録媒体６の内部に
形成された情報記録面上に集光させる。また、対物レンズ５は、光記録媒体６上で反射し
たレーザビームを平行光に変換し、コリメートレンズ４に送られる。コリメートレンズ４
に送られたレーザビームはハーフミラー３で反射されて受光部７に送られる。
【００２６】
受光部７は、レーザビームを受光後、光情報を電気信号に変換して、例えば光ディスク
装置等に備えられるＲＦアンプ等に出力する。この電気信号は、記録面に記録されている
データの再生情報と、光ピックアップ装置１自体及び対物レンズ５の位置制御に必要な情
報（サーボ情報）などを含む。
【００２７】
屈折率制御回路８は、ハーフミラー３が有する屈折率変化層の屈折率を制御するために
用いられる。
【００２８】
図２は、第１実施形態にかかるハーフミラー３の構成を示した概略断面図である。図２
に示すように、ハーフミラー３は、例えば、液晶９と、配向膜１０ａ、１０ｂと、透明電
極１１ａ、１１ｂと、ガラス基板１２ａ、１２ｂと、誘電体多層膜１３とで形成される。
【００２９】
液晶９は、両端に電圧を印加すると液晶分子の配向が変化し、これに伴い屈折率が変化
する。このため、液晶９に印加する電圧の調整により、液晶９の屈折率の調整が可能とな
る。屈折率が変化すると液晶内部を透過するレーザビームの光路長が変化するために、屈
折率の調整、すなわち液晶９に印加する電圧の調整により、液晶９を透過するレーザビー
ムに位相差を発生させることが可能となる。
【００３０】
配向膜１０ａ、１０ｂは、液晶９に所定の配向を与えるために設けられており、液晶９
を挟み込むように配置されている。
【００３１】
さらに、配向膜１０ａ、１０ｂを挟み込むように透明電極１１ａ、１１ｂが配置されて
いる。透明電極１１ａ、１１ｂは、例えば、酸化インジウム（Ｉｎ2Ｏ3）を主成分とし、
二酸化スズ（ＳｎＯ2）を１０％程度混ぜた固溶体の透明膜（ＩＴＯ膜）等の光透過性を
有する素材で構成される。
【００３２】
図３（ａ）は、透明電極１１ａを図２の上方からみた平面図であり、図３（ｂ）は、透
明電極１１ｂを図２の下方からみた平面図である。図３に示すように、透明電極１１ａは
縦横に碁盤目状に分割した電極形状を有しており、透明電極１１ｂは分割されていない対
向電極となっている。このため、透明電極１１ａの各分割された電極（以下、分割電極と
いう）について、加える電圧を独立して制御すると、透明電極１１ａの各分割電極と透明
電極１１ｂとの間に挟まれた液晶ユニットは、それぞれ独立に屈折率を制御できる。従っ
て、各分割電極に印加する電圧を制御することにより、ハーフミラー３を透過するレーザ
ビームの位相を制御することが可能となる。
【００３３】
なお、本実施形態では、透明電極１１ａのみを碁盤目状に分割した電極とし、透明電極
１１ｂは分割しない電極としたが、必ずしもこれに限定される趣旨ではなく、本発明の目
的を逸脱しない範囲で変更可能である。すなわち、例えば、両方を碁盤目状に分割した電
極とすることも可能であるし、透明電極１１ｂのみを碁盤目状に分割した電極等とするこ
とも可能である。また、碁盤目状に分割した電極ではなく、非点収差を主とする波面収差
分布に対応したパターン電極等としても構わない。
【００３４】
ガラス基板１２ａ、１２ｂは透明な基板であり、ガラス基板１２ａの下面、ガラス基板
１２ｂの上面に、それぞれ上述の透明電極１１ａ、１１ｂが蒸着されている。ガラス基板
１２ａの上面に誘電体多層膜１３が設けられており、この誘電体多層膜１３により、レー
ザ源２から出射されたレーザビームが透過光と反射光に分割され、光記録媒体６の記録面
で反射されてコリメートレンズ４を透過したレーザビームが透過光と反射光に分割される
。なお、本実施形態では、レーザビームを分割する物質として誘電体多層膜を用いたが、
これに限定される趣旨ではない。例えば、クロム膜やインコーネルなどを用いても構わな
い。
【００３５】
本実施形態では、ハーフミラー３を構成する屈折率変化層として液晶９を用いたが、こ
れに限定される趣旨ではない。例えば、ＬｉＮｂＯ3やＢｉ12ＳｉＯ20等の電気光学結晶
を用いても構わない。なお、電気光学結晶を用いた場合には、配向膜１０ａ、１０ｂは不
要である。
【００３６】
以上のように構成されるハーフミラー３の光ピックアップ装置１中での配置は、本発明
が、ハーフミラー３中に設けられた液晶９等の屈折率変化層の屈折率を調整して非点収差
を補正する構成のために、レーザ光源２から出射されたレーザビームが、ハーフミラー３
を透過して光記録媒体６に到達する位置に配置する必要がある。ただし、ハーフミラー３
の配置は、本実施形態の位置に限定される趣旨ではなく、本発明の目的を逸脱しない範囲
で変更可能である。すなわち、例えば、コリメートレンズ４とハーフミラー３の位置を変
更する等しても構わない。
【００３７】
次に、第１実施形態の光ピックアップ装置１を用いて、非点収差の補正を行う方法につ
いて説明する。前述のように、非点収差は、主に各光学部品の加工精度、組み立て精度、
光軸のずれ及び傾きなどに起因して発生する。このため、各光学部品を組み立てて光ピッ
クアップ装置１を製作した後に、レーザ光源２からレーザビームを出射した場合の非点収
差のパターンを測定し、この測定結果から非点収差を補正するための条件を求め、その情
報を予め屈折率制御回路８に備えられるメモリ（図示せず）に格納しておくことで非点収
差の補正が可能となる。
【００３８】
すなわち、屈折率制御回路８に備えられるメモリには、透明電極１１ａの各分割電極と
対向電極である透明電極１１ｂとの間に印加する電圧の情報が記憶されており、この印加
電圧情報を用いて屈折率制御回路８は、各分割電極に印加する電圧を調整し、ハーフミラ
ー３中に設けられる液晶９の屈折率を制御して非点収差の補正を行う。
【００３９】
屈折率制御回路８に備えられるメモリに記憶される印加電圧情報は、次のように求める
ことができる。ハーフミラー３で発生する非点収差は、ｎをハーフミラーの屈折率、ｔを
ハーフミラー厚、θを光軸と垂直な面に対するハーフミラーの傾きとしたとき、
非点収差＝（（ｎ2−１）ｔ（ｓｉｎθ）2）／（（ｎ2−（ｓｉｎθ）2）3/2）
で求められる。このため、測定結果から得られた非点収差のパターンに基づいて、上記式
を用いて、透明電極１１ａの各分割電極と対向電極である透明電極１１ｂとの間に印加す
る電圧条件を演算により求めることができる。
【００４０】
なお、演算により求めた値を用いて収差の補正をすると、実際には収差の補正が正確に
できない可能性がある。このため、演算結果により求めた電圧を各分割電極に印加した後
、非点収差の測定を再度行い、非点収差の補正が正確にできていない場合には、透明電極
１１に印加する電圧の条件を更に調整して、非点収差が最小となる条件を得てから、その
情報を屈折率制御回路８に備えられるメモリに記憶させるのが好ましい。
【００４１】
上述の第１実施形態の場合、光ピックアップ装置１を組み立てた後に、温度変化や経時
変化等により各光学部品を固定している接着剤等の物性変化により非点収差が変化した場
合や、光記録媒体の製造条件に由来する基板の複屈折性に起因する非点収差が発生した場
合には、非点収差の補正を行うことが困難である。このため、光ピックアップ装置１の構
成を第２実施形態のようにすることも可能である。
【００４２】
図４は、第２実施形態の光ピックアップ装置１を示す概略断面図である。光学系の構成
については、図１に示す第１実施形態の場合と同一であるため、その説明については省略
する。第２実施形態では、光ピックアップ装置１を使用中に受光部７で得られる収差信号
を一旦ＣＰＵ１４に送り、このＣＰＵ１４により、ＣＰＵ１４に記憶されているプログラ
ムに従って収差補正条件を導き、導き出された条件で屈折率制御回路８を作動することで
、光記録媒体６上に発生する非点収差の補正を行っている。ここで、ＣＰＵ１４と屈折率
制御回路８とで屈折率制御手段１５が構成される。
【００４３】
屈折率制御手段１５により液晶９等の屈折率変化層の屈折率を制御する場合、予め屈折
率制御回路８の作動情報をメモリに記憶させておかなくても、非点収差の補正を行えるた
めに、光ピックアップ装置１を組み立てた後に、温度変化や経時変化等により各光学部品
を固定している接着剤等の物性変化により非点収差が変化した場合や、光記録媒体の製造
条件に由来する基板の複屈折性に起因する非点収差が発生した場合にも、非点収差の補正
を行うことが可能となる。
【００４４】
なお、第２実施形態の場合には、光ピックアップ装置１における収差の補正は、収差の
測定とＣＰＵ１４によって求められた収差補正条件の変更を繰り返して、最終的に非点収
差の量が最小となる条件を導く形式となるため、収差の補正に時間を要する。このため、
少なくとも、各光学部品の加工精度、組み立て精度、光軸のずれ及び傾きなどに起因して
発生する非点収差については迅速に収差の補正ができるように、第１実施形態の場合と同
様にして得た非点収差の補正情報をＣＰＵ１４に記憶させておくのが好ましい。
【００４５】
このようにすれば、初めに記憶した条件で非点収差の補正を行うことが可能となるので
、各光学部品の加工精度、組み立て精度、光軸のずれ及び傾きなどに起因して発生する非
点収差以外の非点収差が発生していなければ、迅速に非点収差の補正が可能となる。
【産業上の利用可能性】
【００４６】
本発明では、光源と、光源から出射される光束を集光して光記録媒体の記録面に導く対
物レンズと、光源と対物レンズとの間の光路中に配置されるハーフミラーと、記録面で反
射される戻り光束が入射される受光部と、を備える光ピックアップ装置において、ハーフ
ミラーは、電圧を印加するための電極と、電極からの電界に応じて透過光の屈折率を変化
させる屈折率変化層とを有し、光源から出射される光束を透過し、記録面で反射される戻
り光束を反射するように配置されている。
【００４７】
このため、従来のように新たに屈折率変化層を有する光学部品を付け加えなくても、ハ
ーフミラーがその役割も兼ねる為に、装置を大型化することなく、非点収差を行える光ピ
ックアップ装置を提供できる。
【００４８】
また、屈折率変化層として、一般に流通している液晶を用いることが可能であるため、
コストの増加を最低限に抑えつつ、非点収差の補正ができる光ピックアップ装置を提供で
きる。
【００４９】
また、受光部で検出した非点収差を用いて、非点収差の調整量を制御できる屈折率制御
手段を設けることにより、光ピックアップ装置の使用中に発生する非点収差についてまで
広く補正できる。
【図面の簡単な説明】
【００５０】
【図１】は、第１実施形態の光ピックアップ装置の概略断面図である。
【図２】は、本実施形態のハーフミラーの概略断面図である。
【図３】は、本実施形態のハーフミラーに設けられる透明電極の平面図である。
【図４】は、第２実施形態の光ピックアップ装置の概略断面図である。
【図５】は、従来の光ピックアップ装置の概略断面図である。
【符号の説明】
【００５１】
１                      光ピックアップ装置
２                      レーザ光源
３                      ハーフミラー
５                      対物レンズ（集束手段）
６                      光記録媒体
７                      受光部
９                      液晶（屈折率変化層）
１１                      透明電極
１５                      屈折率制御手段
【図１】
2006331531.tif 000003
【図２】
2006331531.tif 000004
【図３】
2006331531.tif 000005
【図４】
2006331531.tif 000006
【図５】
2006331531.tif 000007